(57)【要約】【課題】利便性を向上させた携帯電話を提供する。【解決手段】携帯電話１は、信号を送受信する通信部９と、タッチスクリーンディスプレイ３と、通信部９が通話の通信中にキーワードを示す所定の信号を受信したら、当該信号に対応する操作対象のオブジェクトをタッチスクリーンディスプレイ３に表示するコントローラ１１と、を備える。【選択図】図２
2018129562.tif 000002
【特許請求の範囲】
【請求項１】
信号を送受信する通信部と、
タッチスクリーンディスプレイと、
前記通信部が通話の通信中に所定のキーワードを示す信号を受信したら、当該信号に対応する操作対象のオブジェクトを前記タッチスクリーンディスプレイに表示するコントローラと、
を備える携帯電話。
【請求項２】
前記コントローラは、前記通信部が通話の通信中に自動再生された音声の信号であって所定のキーワードを示す信号を受信したら、当該信号に対応する操作対象のオブジェクトを表示する、請求項１に記載の携帯電話。
【請求項３】
前記コントローラは、前記通信部が通話の通信中に自動再生された音声に対応する信号であって所定のキーワードを示す信号を受信したら、当該信号に対応する操作対象のオブジェクトを表示する、請求項１に記載の携帯電話。
【請求項４】
近接センサを備え、
前記コントローラは、前記近接センサによる検出に基づいて、前記オブジェクトを表示させる、請求項１から３のいずれか一項に記載の携帯電話。
【請求項５】
前記コントローラは、前記所定のキーワードを示す信号を受信したか否かを、音声認識することにより判定する、請求項２に記載の携帯電話。
【請求項６】
前記コントローラは、前記操作対象のオブジェクトを表示させたら、前記音声認識を停止する、請求項５に記載の携帯電話。
【請求項７】
マイクをさらに備え、
前記コントローラは、前記マイクが音声を検出しているときは、前記音声認識を停止する、請求項５または６に記載の携帯電話。
【発明の詳細な説明】
【技術分野】
【０００１】
本開示は、携帯電話に関する。
【背景技術】
【０００２】
従来、ディスプレイに操作対象のオブジェクトを表示して、表示されたオブジェクトに対するユーザの操作を検出する、例えばスマートフォンのような携帯電話が知られている。特許文献１には、通話中に、ユーザのディスプレイへの操作により各種機能を設定するための画面を表示し、該画面を表示したディスプレイに対する操作を検出して各種機能を設定する携帯電話が記載されている。
【先行技術文献】
【特許文献】
【０００３】
【特許文献１】国際公開第２０１４／１８５４２２号
【発明の概要】
【発明が解決しようとする課題】
【０００４】
上述の携帯電話は、ユーザの操作に基づいて各種機能を設定するための画面を表示している。しかし、携帯電話において、ユーザが所望する、操作対象のオブジェクトが適宜表示されれば、利便性が向上する。
【０００５】
本開示の目的は、利便性を向上させた携帯電話を提供することにある。
【課題を解決するための手段】
【０００６】
本開示の携帯電話は、信号を送受信する通信部と、タッチスクリーンディスプレイと、前記通信部が通話の通信中に所定のキーワードを示す信号を受信したら、当該所定の信号に対応する操作対象のオブジェクトを前記タッチスクリーンディスプレイに表示するコントローラと、を備える。
【発明の効果】
【０００７】
本開示の一実施形態によれば、利便性を向上させることができる。
【図面の簡単な説明】
【０００８】
【図１】本実施形態に係る携帯電話の外観図である。
【図２】図１に示す携帯電話の機能構成図である。
【図３】図１に示す携帯電話のタッチスクリーンディスプレイに表示される画面の例である。
【図４】図２に示すオブジェクトテーブルに記憶されているデータの例を示す図である。
【図５】図１に示す携帯電話の動作を示す処理フロー図である。
【図６】図１に示す携帯電話の利用シーンを示すイメージ図である。
【図７】本実施形態に係る表示通信システムの機能構成図である。
【発明を実施するための形態】
【０００９】
以下、本開示の実施形態について、図面を参照して説明する。
【００１０】
まず、図１および図２を参照して、本実施形態に係る携帯電話の構成について説明する。図１は、本実施形態に係る携帯電話の外観図である。また、図２は、図１に示す携帯電話の機能構成図である。
【００１１】
図１に示すように、本実施形態に係るスマートフォンタイプの携帯電話１（以降、「スマートフォン１」という）は、ハウジング２と、タッチスクリーンディスプレイ３と、ボタン４Ａ〜４Ｆと、近接センサ５と、レシーバ６と、マイク７と、カメラ８とを備える。タッチスクリーンディスプレイ３と、ボタン４Ａ〜４Ｃと、近接センサ５と、レシーバ６と、マイク７と、カメラ８とは、図１に示す正面に配置される。また、ボタン４Ｄ〜４Ｆは図１に示す側面に配置される。以下では、ボタン４Ａ〜４Ｆを、どのボタンであるかを特定することなく、ボタン４と総称することがある。本実施形態では、携帯電話１がスマートフォン１である例を説明するが、これに限られず、携帯電話１は、例えば通話機能を搭載したタブレットであってもよい。
【００１２】
図２に示すように、本実施形態に係るスマートフォン１は、上述のタッチスクリーンディスプレイ３と、ボタン４と、近接センサ５と、レシーバ６と、マイク７と、カメラ８とに加えて、通信部９と、メモリ１０と、コントローラ１１とを有する。
【００１３】
コントローラ１１は、例えば、ＣＰＵ（Central Processing Unit）である。コントローラ１１は、通信部９等の他の構成要素が統合されたＳｏＣ（System-on-a-Chip）等の集積回路であってもよい。コントローラ１１は、複数の集積回路を組み合わせて構成されていてもよい。コントローラ１１は、スマートフォン１の動作を統括的に制御して各種の機能を実現する。コントローラ１１による制御の詳細は追って詳細に説明する。
【００１４】
タッチスクリーンディスプレイ３は、ディスプレイ３Ａと、タッチスクリーン３Ｂとを有する。ディスプレイ３Ａは、液晶ディスプレイ（Liquid Crystal Display）、有機ＥＬパネル（Organic Electro-Luminescence panel）、または無機ＥＬパネル（Inorganic Electro-Luminescence panel）等の表示デバイスを備える。ディスプレイ３Ａは、文字、画像、記号または図形等を表示する。ディスプレイ３Ａにおいて表示を行うために必要なデータは、コントローラ１１から供給される。また、ディスプレイ３Ａは、適宜、バックライトなどを含んで構成してもよい。
【００１５】
タッチスクリーン３Ｂは、タッチスクリーンディスプレイ３を操作するユーザの指、またはスタイラスペン等の接触を検出する。タッチスクリーン３Ｂは、複数の指、またはスタイラスペン等がタッチスクリーン３Ｂに接触した位置を検出することができる。タッチスクリーン３Ｂの検出方式は、静電容量方式、抵抗膜方式、表面弾性波方式（または超音波方式）、赤外線方式、電磁誘導方式、及び荷重検出方式等の任意の方式でよい。タッチスクリーン３Ｂは、静電容量方式では、指、またはスタイラスペン等の接触及び接近を検出することができる。タッチスクリーン３Ｂが検出した信号は、コントローラ１１に供給される。
【００１６】
タッチスクリーンディスプレイ３は、上述したように、ディスプレイ３Ａと、タッチスクリーン３Ｂとを有する。ディスプレイ３Ａは、文字、図形、記号、または図形などを表示する。また、ディスプレイ３Ａは、各種のオブジェクトを表示する。例えば、ディスプレイ３Ａは、例えばキーもしくはボタンまたはアイコンのようなオブジェクトを表示することができる。例えばキーまたはボタンのように、ユーザに操作入力を行うべき領域（位置）を示唆するオブジェクトを、以下、「操作対象のオブジェクト」と記す。タッチスクリーン３Ｂは、操作対象のオブジェクトに対する接触を検出することによって、スマートフォン１に対する操作を検出する。コントローラ１１は、タッチスクリーン３Ｂと協働することによって、タッチスクリーン３Ｂ（タッチスクリーンディスプレイ３）における操作を検出する。
【００１７】
ボタン４Ａ〜４Ｆは、ユーザによって操作される。ボタン４Ａ〜４Ｆに対する操作は、コントローラ１１によって検出される。ボタン４Ａ〜４Ｆに対する操作は、例えば、クリック、ダブルクリック、プッシュ、ロングプッシュ、及びマルチプッシュである。
【００１８】
ボタン４Ａ〜４Ｃは、例えば、ホームボタン、バックボタンまたはメニューボタンである。本実施形態では、ボタン４Ａ〜４Ｃとしてタッチセンサ型のボタンが採用されている。また、ボタン４Ａ〜４Ｃはタッチセンサ型に限定されず、例えば押しボタン式スイッチなどを採用してもよい。ボタン４Ｄは、例えば、スマートフォン１のパワーオン／オフボタンである。ボタン４Ｄは、スリープ／スリープ解除ボタンを兼ねてもよい。ボタン４Ｅ及び４Ｆは、例えば、音量ボタンである。
【００１９】
近接センサ５は、近隣の物体の存在を非接触で検出する。近接センサ５は、例えば、スマートフォン１のユーザが通話を行うために、耳にタッチスクリーンディスプレイ３などを近付けたことを検出する。このため、近接センサ５は、例えば所定の物体が近接センサ５に所定の距離以内に接近したら検出信号を出力してもよい。また、近接センサ５は、例えば近接センサ５と所定の物体との間の距離に応じた検出信号を出力してもよい。近接センサ５が検出した信号は、コントローラ１１に供給される。
【００２０】
レシーバ６は、コントローラ１１から送信される音声信号を音声として出力する。スマートフォン１は、レシーバ６に代えて、スピーカをさらに有してもよい。スマートフォン１において通話の機能を実行する際は、通話相手の話す声をレシーバ６から出力させることができる。
【００２１】
マイク７は、ユーザ等の音声を音声信号へ変換する。マイク７が変換した音声信号は、コントローラ１１へ送信される。スマートフォン１において通話の機能を実行する際は、スマートフォン１のユーザが話す声をマイク７に入力することができる。
【００２２】
カメラ８は、ハウジング２の、図１に示す正面側の像を撮像する。カメラ８は、ハウジング２の、図１に示す正面に対向する背面側に配置され、背面側の像を撮像してもよい。カメラ８が撮像したデータは、コントローラ１１に供給される。
【００２３】
通信部９は、無線通信により信号を送受信する。通信部９は、無線通信規格に準拠した通信方式によって通信を行うことができる。例えば、無線通信規格として、２Ｇ（2nd Generation）、３Ｇ（3rd Generation）、４Ｇ（4th Generation）等の規格がある。例えば、無線通信規格として、ＬＴＥ（Long Term Evolution）、Ｗ−ＣＤＭＡ、ＣＤＭＡ２０００、ＰＤＣ、ＧＳＭ（登録商標）、ＰＨＳ（Personal Handy-phone System）等がある。例えば、無線通信規格として、ＷｉＦｉ（The Standard for Wireless Fidelity）、ＷｉＭＡＸ（Worldwide Interoperability for Microwave Access）、ＩＥＥＥ８０２．１１、Ｂｌｕｅｔｏｏｔｈ（登録商標）、ＩｒＤＡ（Infrared Data Association）、ＮＦＣ（Near field radio communication）等がある。通信部９は、上述した通信規格の１つまたは複数をサポートしていてもよい。
【００２４】
通信部９は、コントローラ１１の制御に基づいて、他の通話機器に音声の信号を送信したり、他の通話機器から送信された音声の信号を受信したりする。
【００２５】
メモリ１０は、プログラム及びデータを記憶する。また、メモリ１０は、コントローラ１１の処理結果を一時的に記憶する作業領域としても利用される。メモリ１０は、半導体記憶デバイス、及び磁気記憶デバイス等の任意の記憶デバイスを含んでよい。また、メモリ１０は、複数の種類の記憶デバイスを含んでよい。また、メモリ１０は、メモリカード等の可搬の記憶媒体と、記憶媒体の読み取り装置との組み合わせを含んでよい。
【００２６】
メモリ１０は、例えば、制御プログラム１０Ａ、電話アプリケーション１０Ｂ、および表示アプリケーション１０Ｃを記憶する。本明細書においては、アプリケーションプログラムを「アプリケーション」と略記する。
【００２７】
制御プログラム１０Ａは、スマートフォン１に各種機能を実行させるためのプログラムである。具体的には、コントローラ１１が制御プログラム１０Ａに従って、例えば、通信部９、レシーバ６、マイク７等を制御することによって各種機能を実行する。
【００２８】
電話アプリケーション１０Ｂは、スマートフォン１に発信、着信、通話、通話中の操作に基づく画面表示等の各種の電話機能をコントローラ１１に実行させるためのアプリケーションである。
【００２９】
表示アプリケーション１０Ｃは、電話アプリケーション１０Ｂに従った電話機能の実行中に、操作対象のオブジェクトを表示させるオブジェクト表示機能をコントローラ１１に実行させるためのアプリケーションである。
【００３０】
メモリ１０は、さらにオブジェクトテーブル１０Ｄを記憶する。オブジェクトテーブル１０Ｄは、所定のキーワードと、操作対象のオブジェクトとを対応付けて記憶したものである。コントローラ１１は、このようなオブジェクトのデータをディスプレイ３Ａに出力して表示させる。タッチスクリーン３Ｂは、該オブジェクトが表示されている領域に対するタッチを検出して、検出信号をコントローラ１１に出力する。
【００３１】
次に、図３を参照して、本実施形態に係るスマートフォン１の動作について説明する。ここでは、コントローラ１１が、通信部９による通話の通信中に、所定の条件下で所定のオブジェクトをディスプレイ３Ａに表示する機能について説明する。
【００３２】
コントローラ１１は、通信部９による通話の通信が開始されると、図３（ａ）に示すように、通話相手の電話番号、および通話相手に関連する画像等を含む画面をタッチスクリーンディスプレイ３に表示する。コントローラ１１は、通話中、通信部９が受信する音声信号を音声としてレシーバ６から出力する。また、コントローラ１１は、通話中、マイク７に入力される音声を、音声信号として通信部９から送信する。このような動作により、スマートフォン１のユーザは、レシーバ６から通話相手の音声を聞くことができ、マイク７に向かって通話相手に発話することができる。このような動作は、通常のスマートフォンまたは携帯電話などが備える通話機能と同様に行うことができるため、より詳細な説明は省略する。
【００３３】
以下の実施形態においては、スマートフォン１のユーザが発信した通話の相手が、例えば自動再生される音声ガイダンスであるような場合を例として説明する。また、本実施形態による動作が行われる典型的な例として、スマートフォン１のユーザが、自動再生される音声ガイダンスに従って、通話中に、所定の番号などの入力を求められる場面を想定して説明する。本実施形態においては、コントローラ１１は、通信部９が通話の通信中に所定のキーワードを示す信号を受信したら、図３（ｂ）に示すように、当該信号に対応する操作対象のオブジェクトを含む画面を、タッチスクリーンディスプレイ３に表示する。図３（ｂ）は、通信部９が通話の通信中に、「番号」に関連する所定のキーワードを示す信号を受信し、所定の番号の入力を求められる例を示している。また、図３（ｂ）に示す例では、所定のキーワードを示す信号に対応して表示される操作対象のオブジェクトは、ダイヤルキーのオブジェクトである。
【００３４】
本実施形態において、上述の「所定のキーワードを示す信号」は、ユーザにタッチスクリーンディスプレイ３の操作により情報を入力させることを促す信号である。所定のキーワードを示す信号は、例えば、「番号を入力してください。」、「１番を入力してください。」、「シャープを押してください。」といった文章のキーワードを示す信号とすることができる。あるいは、所定のキーワードを示す信号は、「番号」、「１番」、「シャープ」、「入力」といった単語のキーワードを示す信号等とすることができる。所定のキーワードを示す信号は、自動再生された音声の信号であってよい。また、所定の信号は、自動再生された音声に対応する信号、例えば自動再生された音声の信号から変換されたテキスト形式の信号、音声の信号を識別するための識別情報を示す信号であってもよい。
【００３５】
具体的には、コントローラ１１は、通信部９が音声信号を受信すると、音声認識することにより、該信号が所定のキーワードを示す信号であるか否かを判定する。また、具体的には、コントローラ１１は、音声信号を該コントローラ１１が認識することができる任意の形式、例えばテキスト形式の情報に変換してもよい。そして、コントローラ１１は、テキスト形式の情報に基づいて、信号が所定のキーワードを示す信号であるか否かを判定してもよい。
【００３６】
さらに、コントローラ１１は、該信号が所定のキーワードを示す信号であると判定すると、タッチスクリーンディスプレイ３が該所定のキーワードを示す信号に対応する、操作対象のオブジェクトを表示するよう制御する。例えば、コントローラ１１は、オブジェクトテーブル１０Ｄにおいて、所定のキーワードを示す信号に対応付けられている操作対象のオブジェクトを抽出する。そして、コントローラ１１は、抽出された操作対象のオブジェクトをタッチスクリーンディスプレイ３に表示する。
【００３７】
一例として、図４に示すように、メモリ１０のオブジェクトテーブル１０Ｄには、受信した信号によって示される所定のキーワードと、操作対象のオブジェクトとが対応付けられている。具体的には、所定のキーワード「シャープ」には、操作対象のオブジェクト「＃」が対応付けられている。
【００３８】
すなわち、コントローラ１１は、例えば通信部９が「シャープ」という音声信号を受信したら、「＃」のオブジェクトをタッチスクリーンディスプレイ３に表示する。この場合、コントローラ１１は、「＃」のオブジェクトとテンキーのオブジェクトを含む画像、例えば上記のダイヤルキーのオブジェクトを表示してよい。また、コントローラ１１は、「＃」のオブジェクトとテンキーのオブジェクトを含むダイヤルキーにおいて、「＃」のオブジェクトの態様（例えば、色）をテンキーのオブジェクトの態様（例えば、色）と異ならせて表示してよい。また、コントローラ１１は、テンキーのオブジェクトを表示することなく、「＃」のオブジェクトのみを表示してもよい。コントローラ１１は、「＃」のオブジェクトのみを表示する場合、当該オブジェクトを、ダイヤルキーのオブジェクトに含まれる「＃」のオブジェクトよりも大きくして表示してもよい。
【００３９】
また、図４に示すように、所定のキーワード「番号」には、操作対象のオブジェクト「テンキー」が対応付けられている。この場合、コントローラ１１は、通信部９が受信した信号に係る所定のキーワードが「番号」であると判定すると、操作対象のオブジェクト「テンキー」を抽出する。そして、コントローラ１１は、図３（ｂ）に示すように、タッチスクリーンディスプレイ３にテンキーのオブジェクトを含む画面を表示する。
【００４０】
このように、ユーザによる操作を促す所定のキーワードを示す信号が受信されるとオブジェクトが表示されることによって、ユーザは、迅速に該オブジェクトに対して操作を開始することができる。また、通話中にオブジェクトを表示するための操作をどのように行うのか、迷うことなく操作を開始できる。したがって、ユーザにとっての利便性が高まる。
【００４１】
また、コントローラ１１は、操作対象のオブジェクトを表示させたら、音声認識を停止する。これにより、コントローラ１１は、オブジェクトの表示後の音声認識処理に要する負荷を削減することができる。
【００４２】
続いて、本実施形態に係るスマートフォン１が行う動作について、図５を参照して説明する。コントローラ１１は、通信部９が音声信号を受信すると図５に示す処理を開始する。このとき、ユーザはスマートフォン１により通話しており、図３（ａ）に示されるように、タッチスクリーンディスプレイ３には、通話中である旨を示す通話中画面が表示されている。
【００４３】
図５に示すように、まず、コントローラ１１は、通信部９が受信した音声信号について音声認識処理を行う（ステップＳ１）。
【００４４】
ステップＳ１で音声認識処理により音声信号から変換された形式の情報に所定のキーワードが含まれるか否か判定する（ステップＳ２）。
【００４５】
ステップＳ２で所定のキーワードが含まれていると判定すると、コントローラ１１は、所定のキーワードに対応してオブジェクトテーブル１０Ｄに記憶されている操作対象のオブジェクトを抽出する（ステップＳ３）。
【００４６】
図５に戻って、ステップＳ３で操作対象のオブジェクトが抽出されると、コントローラ１１は、タッチスクリーンディスプレイ３に抽出した操作対象のオブジェクトを表示する（ステップＳ４）。これにより、スマートフォン１には、図３（ｂ）に示したように、操作対象のオブジェクトが表示され、ユーザによって操作され得る状態となる。
【００４７】
以上説明したように、本実施形態に係るスマートフォン１において、コントローラ１１は、通信部９が通話の通信中に所定のキーワードを示す信号を受信したら、当該信号に対応する操作対象のオブジェクトをタッチスクリーンディスプレイ３に表示する。一般に、通信部９が受信した音声の信号に所定のキーワードが含まれているときに、ユーザが操作対象のオブジェクトに対して操作する必要が生じることが多い。具体的には、ユーザは、「番号を入力してください」、「シャープキーを押してください」というようなアナウンスを示す音声に促されて、操作対象のオブジェクトを操作しようとする。そのため、スマートフォン１においては、ユーザが操作をすることなく、ユーザにとって必要な操作対象のオブジェクトが表示される。したがって、ユーザは、スマートフォン１を用いた通話中に迷うことなく、迅速に操作対象のオブジェクトを操作することができる。すなわち、ユーザにとっての利便性が向上される。
【００４８】
また、本実施形態に係るスマートフォン１においては、コントローラ１１は、通信部９が通話の通信中に自動再生された音声の信号を受信したら、当該信号に対応する操作対象のオブジェクトを表示してもよい。一般に、通信部９が自動再生による音声の信号を受信しているときに、ユーザが操作対象のオブジェクトに対して操作する必要が生じることが多い。そのため、この場合にコントローラ１１が操作対象のオブジェクトを表示することによって、ユーザにとってより適切なタイミングで必要な表示がされる。すなわち、ユーザにとっての利便性がより向上される。
【００４９】
また、本実施形態に係るスマートフォン１において、コントローラ１１は、通信部９が通話の通信中に自動再生された音声に対応する信号を受信したら、当該信号に対応する操作対象のオブジェクトを表示してもよい。すなわち、コントローラ１１は、通信部９が、音声信号に限らず、音声に対応する任意の形式の信号を受信すると、操作対象のオブジェクトを表示してもよい。この場合も、通信部９が所定の音声の信号を受信した場合と同様に、ユーザにとってより適切なタイミングで必要な表示がされる。
【００５０】
上述の実施形態は代表的な例として説明したが、本開示の趣旨及び範囲内で、多くの変更及び置換ができることは当業者に明らかである。従って、本開示は、上述の実施形態によって制限するものと解するべきではなく、特許請求の範囲から逸脱することなく、種々の変形や変更が可能である。例えば、実施形態に記載の複数の構成ブロックを１つに組合せたり、あるいは１つの構成ブロックを分割したりすることが可能である。
【００５１】
例えば、コントローラ１１は、該信号が所定のキーワードを示す信号であると判定すると、近接センサ５による検出に基づいて操作対象のオブジェクトの表示制御を行ってもよい。具体的には、コントローラ１１は、該信号が所定のキーワードを示す信号であると判定すると、図６（ａ）に示すように、タッチスクリーンディスプレイ３がユーザの耳等の物体に近接していると近接センサ５が検出しているとき、操作対象のオブジェクトを表示させない。また、コントローラ１１は、該信号が所定のキーワードを示す信号であると判定すると、図６（ｂ）に示すように、タッチスクリーンディスプレイ３がユーザの耳等の物体に近接していると近接センサ５が検出していないとき、操作対象のオブジェクトを表示させる。
【００５２】
一般に、ユーザが耳にスマートフォン１を近づけて通話を行っているとき、ユーザはタッチスクリーンディスプレイ３に対して何らかの操作をしようとしていないことが多い。言い換えれば、通信部９による通話の通信中に、スマートフォン１に耳が近づいていないとき、ユーザはタッチスクリーンディスプレイ３に対して何らかの操作をしようとしている場合がある。したがって、コントローラ１１は、近接センサ５が物体の近接を検出していないときに、オブジェクトを表示することによってユーザにとってより適切なタイミングで必要な表示がされる可能性が高い。すなわち、ユーザにとって利便性が向上されることがある。
【００５３】
コントローラ１１は、マイク７による音声の入力に基づいて上述の音声認識処理を行ってもよい。具体的には、コントローラ１１は、スマートフォン１のユーザの音声がマイク７に入力されているとき、音声認識を行わない。すなわち、コントローラ１１は、マイク７に音声が入力されているとき、通信部９が受信した信号が所定の信号であるか否かを判定する処理を行わない。したがって、この場合、コントローラ１１は、タッチスクリーンディスプレイ３に操作対象のオブジェクトを表示させない。
【００５４】
一般に、マイク７に音声が入力されているとき、すなわち通話が行われていると見込まれるとき、ユーザはタッチスクリーンディスプレイ３に対して何らかの操作をしようとしていないことが多い。言い換えれば、通信部９による通話の通信中に、マイク７に音声が入力されていないとき、ユーザはタッチスクリーンディスプレイ３に対して何らかの操作をしようとしている場合がある。したがって、コントローラ１１は、マイク７へ音声が入力されていないときに、オブジェクトを表示することによってユーザにとってより適切なタイミングで必要な表示がされる可能性が高い。すなわち、ユーザにとって利便性が向上されることがある。
【００５５】
また、上述の実施形態では、携帯電話１が備えるコントローラ１１が音声認識処理を行うとしたが、この限りではない。例えば、図７に示すように、携帯電話１と、外部装置３１とを備える通信システム３０が構成されてもよい。この場合、外部装置３１は、通信部３１１、コントローラ３１２、音声認識部３１３を含む。通信部３１１が電話基地局から音声信号を受信し、コントローラ３１２が音声認識部３１３に音声信号を音声認識処理させる。さらに、携帯電話１は、音声認識処理により変換された形式の情報を受信して、該情報に対応する操作対象のオブジェクトを表示する。この場合、携帯電話１は、音声認識処理を実行する必要がなく、低い処理負荷でユーザに適切なオブジェクトを表示させることができる。
【符号の説明】
【００５６】
１            携帯電話
２            ハウジング
３            タッチスクリーンディスプレイ
４Ａ〜４Ｆ    ボタン
５            近接センサ
６            レシーバ
７            マイク
８            カメラ
９            通信部
１０          メモリ
１０Ａ        制御プログラム
１０Ｂ        電話アプリケーション
１０Ｃ        表示アプリケーション
１０Ｄ        オブジェクトテーブル
１１          コントローラ
３０          通信システム
３１          外部装置
【図１】
2018129562.tif 000003
【図２】
2018129562.tif 000004
【図３】
2018129562.tif 000005
【図４】
2018129562.tif 000006
【図５】
2018129562.tif 000007
【図６】
2018129562.tif 000008
【図７】
2018129562.tif 000009